(57)【要約】      （修正有）【課題】仕掛けが繰り出されていくときに枝針等が跳ねても手等を傷つけてしまうことを防止するために、魚釣り用仕掛け投入機を保持する魚釣り用仕掛け投入機ホルダーの提供。【解決手段】筒状部２のスリット３は斜め下方を向く姿勢となっている。従って、糸掛け部２５、２７、針掛け部２９も斜め下方を向いているため、錘４０を海に投入すると仕掛けの糸３３がスムーズに繰り出される。さらに、この魚釣り用仕掛け投入機ホルダー１を使用することによって魚釣り用仕掛け投入機２１を釣人の体から離れた位置に備えることができるので、手で直接持って仕掛けを使用する場合と比べて、仕掛け３１が魚釣り用仕掛け投入機２１から繰り出される勢いで枝針３５等が跳ねても、魚釣り用仕掛け投入機２１を持っている手等を傷つける事故の発生を完全に防止することができる。【選択図】図３
0003183121.tif 000002
【実用新案登録請求の範囲】
【請求項１】
軸方向の一端側が開口した筒状部と、前記筒状部の軸方向へ直状に延び、且つ前記開口に連なるスリットと、前記筒状部の開口側に着脱自在な抜け止め部材と、前記スリットが前方を向いて横方向へ延びる姿勢で筒状部を後方側から支持する支持部材とからなる魚釣り用仕掛け投入機ホルダーであって、前記開口から魚釣り用仕掛け投入機の棒状部を前記筒状部へ差し込み、前記スリットから仕掛けを巻き付ける巻き付け部を突出させた状態で、前記抜け止め部材を取り付けて前記棒状部を抜け止めし、舟に設けられた支持台に前記支持部材を固定して使用することを特徴とする魚釣り用仕掛け投入機ホルダー。
【請求項２】
請求項１に記載した魚釣り用仕掛け投入機ホルダーにおいて、筒状部はスリットが斜め下方を向く姿勢で支持部材に支持されていることを特徴とする魚釣り用仕掛け投入機ホルダー。
【請求項３】
請求項１または２に記載した魚釣り用仕掛け投入機ホルダーにおいて、支持部材は板状部材を組み合わせて構成されていることを特徴とする魚釣り用仕掛け投入機ホルダー。
【請求項４】
請求項１から３のいずれかに記載した魚釣り用仕掛け投入機ホルダーにおいて、抜け止め部材は筒状部の周面に形成された孔から挿入し、筒状部の開口側の端部に取り付けて、魚釣り用仕掛け投入機の棒状部を抜け止めするものであることを特徴とする魚釣り用仕掛け投入機ホルダー。
【請求項５】
請求項１から４のいずれかに記載した魚釣り用仕掛け投入機ホルダーにおいて、支持部材は舟に設けられた支持台に固定される固定側部材と、筒状部が固定される傾動側部材とから成り、前記傾動側部材を前記固定側部材に対し左右方向へ傾動可能に且つ任意の位置で固定可能に連結する連結手段とを具備して、前記傾動部材と共に前記筒状部を左右方向へ傾動させて向きを変え、任意の向きで固定できることを特徴とする魚釣り用仕掛け投入機ホルダー。
【考案の詳細な説明】
【技術分野】
【０００１】
本考案は魚釣り用仕掛け投入機ホルダーに係り、特に糸が長い仕掛けを巻き付けた魚釣り用仕掛け投入機を保持する魚釣り用仕掛け投入機ホルダーに関するものである。
【背景技術】
【０００２】
魚釣りに用いる仕掛けを巻き付けておくものとしては、特許文献１に記載される仕掛け巻き等がある。この仕掛け巻きの一種にキンメダイ等を舟から釣る場合に使用する仕掛けを巻き付けておく魚釣り用仕掛け投入機がある。この魚釣り用仕掛け投入機に巻き付けた仕掛けの基端を道糸に連結し、先端に錘を付ける。そして魚釣り用仕掛け投入機を持って錘を海に投入すると、錘によって仕掛けが引っ張られ、魚釣り用仕掛け投入機から仕掛けが繰り出されていく。
【先行技術文献】
【特許文献】
【０００３】
【特許文献１】特開２００６−３２０２２８号公報
【考案の概要】
【考案が解決しようとする課題】
【０００４】
しかしながら、魚釣り用仕掛け投入機から仕掛けが繰り出されていく際に、繰り出される勢いで枝針等が跳ねてしまい、この枝針によって魚釣り用仕掛け投入機を持っている手等を傷つけてしまうおそれがあるという問題がある。
【０００５】
本考案は上記従来の問題に着目して為されたものであり、仕掛けが繰り出されていくときに枝針等が跳ねても手等を傷つくのを防止することができる、魚釣り用仕掛け投入機を保持する魚釣り用仕掛け投入機ホルダーの提供を、その目的とする。
【課題を解決するための手段】
【０００６】
本考案は上記課題を解決するためになされたものであり、請求項１の考案は、軸方向の一端側が開口した筒状部と、前記筒状部の軸方向へ直状に延び、且つ前記開口に連なるスリットと、前記筒状部の開口側に着脱自在な抜け止め部材と、前記スリットが前方を向いて横方向へ延びる姿勢で筒状部を後方側から支持する支持部材とからなる魚釣り用仕掛け投入機ホルダーであって、前記開口から魚釣り用仕掛け投入機の棒状部を前記筒状部へ差し込み、前記スリットから仕掛けを巻き付ける巻き付け部を突出させた状態で、前記抜け止め部材を取り付けて前記棒状部を抜け止めし、舟に設けられた支持台に前記支持部材を固定して使用することを特徴とする魚釣り用仕掛け投入機ホルダーである。
【０００７】
請求項２の考案は、請求項１に記載した魚釣り用仕掛け投入機ホルダーにおいて、スリットが斜め下方を向く姿勢で支持部材に支持されていることを特徴とする魚釣り用仕掛け投入機ホルダーである。
【０００８】
請求項３の考案は、請求項１または２に記載した魚釣り用仕掛け投入機ホルダーにおいて、支持部材は板状部材を組み合わせて構成されていることを特徴とする魚釣り用仕掛け投入機ホルダーである。
【０００９】
請求項４の考案は、請求項１から３のいずれかに記載した魚釣り用仕掛け投入機ホルダーにおいて、抜け止め部材は筒状部の周面に形成された孔から挿入し、筒状部の開口側の端部に取り付けて、魚釣り用仕掛け投入機の棒状部を抜け止めするものであることを特徴とする仕掛け巻きホルダーである。
【００１０】
請求項５の考案は、請求項１から４のいずれかに記載した魚釣り用仕掛け投入機ホルダーにおいて、支持部材は舟に設けられた支持台に固定される固定側部材と、筒状部が固定される傾動側部材とから成り、前記傾動側部材を前記固定側部材に対し左右方向へ傾動可能に且つ任意の位置で固定可能に連結する連結手段とを具備して、前記傾動部材と共に前記筒状部を左右方向へ傾動させて向きを変え、任意の向きで固定できることを特徴とする魚釣り用仕掛け投入機ホルダーである。
【考案の効果】
【００１１】
本考案の仕掛け巻きホルダーを用いれば、仕掛けを繰り出すときに枝針によって手等を傷つけてしまう事故の発生を防止でき、安全に釣りをすることができる。
【図面の簡単な説明】
【００１２】
【図１】本考案の第一の実施の形態に係る魚釣り用仕掛け投入機ホルダーの正面図及び側面図である。
【図２】図１の魚釣り用仕掛け投入機ホルダーに魚釣り用仕掛け投入機を保持させる方法を説明する斜視図である。
【図３】図１の魚釣り用仕掛け投入機ホルダーを舟の支持部に取り付けた状態を説明する斜視図である。
【図４】図１の魚釣り用仕掛け投入機ホルダーを舟の支持部に取り付けた状態を説明する側面図である。
【図５】本考案の第二の実施の形態に係る魚釣り用仕掛け投入機ホルダーの正面図及び側面図である。
【図６】図５の魚釣り用仕掛け投入機ホルダーに魚釣り用仕掛け投入機を保持させる方法を説明する斜視図である。
【考案を実施するための形態】
【００１３】
本考案の第一の実施の形態に係る魚釣り用仕掛け投入機ホルダー１を図面にしたがって説明する。
符号１０は支持部材を示し、この支持部材１０は左右に配置される一対の板状部材１３、１５と、板状部材１３、１５の両端部を連結する板状部材１１、１７とによって、四角の枠状に構成されている。板状部材１３、１５の前側端部は斜め下方に曲げられており、その板状部材１３、１５の前側端部に連結される板状部材１１は斜め下方に傾いた状態で設けられている。
【００１４】
符号２は筒状部を示し、この筒状部２は略角筒状を為している。筒状部２の前面にはスリット３が形成されており、このスリット３は筒状部２の軸方向へ直状に延びている。また、筒状部２の図１（Ａ）において左側の端面には開口５が形成されており、右側の端面は抜け止め板７が取り付けられている。
筒状部２の周面（上面）には、抜け止め部材としての蝶ネジ８が螺合されるネジ穴９が形成されており、このネジ穴９は図１（Ａ）において左端部（開口５側の端部）に設けられている。
図１（Ｂ）、（Ｃ）に示すように筒状部２はスリット３を前方に向けて板状部材１１の上面に固定されている。すなわち、支持部材１０はスリット３が前方を向いて横方向へ延びる姿勢で筒状部２を後方側から支持している。前述のように、板状部材１１は斜め下方向に傾いた状態で設けられているので、筒状部２はスリット３が斜め下方を向く姿勢で備えられている。
【００１５】
魚釣り用仕掛け投入機２１について説明する。
符号２３は棒状部を示し、この棒状部２３には糸掛け部２５、２７が固定されている。糸掛け部２５、２７は金属製のパイプによって構成されており、先端が鋭角に曲げられている。糸掛け部２５と糸掛け部２７は同じ方向に突出しており、糸掛け部２５の外側部と糸掛け部２７の外側部は平行となっている。また、棒状部２３には針掛け部２９が固定されており、この針掛け部２９は糸掛け部２５、２７と同方向に突出している。糸掛け部２５、糸掛け部２７及び針掛け部２９によって仕掛け３１を巻き付ける巻き付け部が構成されている。
【００１６】
魚釣り用仕掛け投入機２１の糸掛け部２５、２７には仕掛け３１の糸３３が巻き付けられており、針掛け部２９には仕掛け３１の枝針３５が掛けられている。
さらに、糸３３の先端側には錘４０が取り付けられており、基端側は道糸４１に繋げられている。
【００１７】
魚釣り用仕掛け投入機ホルダー１に魚釣り用仕掛け投入機２１を保持させる方法について説明する。
図２に示すように、魚釣り用仕掛け投入機２１の棒状部２３を開口５から筒状部２へ差し込み、棒状部２３の先端が筒状部２の抜け止め板７に当たるまでスライドさせて、スリット３から糸掛け部２５、２７、針掛け部２９を突出させる。そして、蝶ネジ８をネジ穴９に螺合させて開口５側に取り付け、棒状部２３が開口５から抜けないように抜け止めをする。
【００１８】
魚釣り用仕掛け投入機２１及び魚釣り用仕掛け投入機ホルダー１を舟の支持台３７に取り付ける方法について説明する。
図４に示すように、筒状部２を上側にして、且つ魚釣り用仕掛け投入機２１の糸掛け部２５、２７、針掛け部２９が海側へ突出する方向とし、支持部材１０の基端部を支持台３７に載せる。
次に、クランプ３９の雄ネジ３９ａを締めることによって板状部材１３、１５の基端部と支持台３７とを挟み付けて支持部材１０を支持台３７に固定する。
【００１９】
そして、錘４０を海に投入すると仕掛け３１が繰り出される。糸掛け部２５、２７、針掛け部２９が斜め下方を向いているため、仕掛けの糸３３をスムーズに繰り出すことができる。
また、この魚釣り用仕掛け投入機ホルダー１を使用することによって魚釣り用仕掛け投入機２１を釣人の体から離れた位置に備えることができるので、魚釣り用仕掛け投入機２１を手で直接持って仕掛けを使用する場合と異なり、仕掛け３１が魚釣り用仕掛け投入機２１から繰り出される勢いで枝針３５等が跳ねても、手等を傷つけてしまう事故の発生を完全に防止することができる。
【００２０】
本考案の第二の実施の形態に係る魚釣り用仕掛け投入機ホルダー４２を図面にしたがって説明する。
魚釣り用仕掛け投入機ホルダー４２は、第二の実施の形態に係る支持部材４４を除き、第一の実施の形態に係る魚釣り用仕掛け投入機ホルダー１と同様の構成を有するので、同様の構成部分については同じ符号を付し、その説明を省略する。
【００２１】
支持部材４４は固定側部材としての板状部材４３と、筒状部２が固定される傾動側部材としての板状部材４６とから成る。板状部材４６、４３にはボルト挿通穴が形成され、これらのボルト挿通穴にボルト５０が挿通され、板状部材４３から突出するボルト５０の先端部にナット５２が螺合されている。これらボルト挿通穴、ボルト５０及びナット５２によって連結手段が構成されている。板状部材４３に筒状部２が設置された状態で固定されている。
【００２２】
この魚釣り用仕掛け投入機ホルダー４２では、ボルト５０とナット５２を緩めた状態では、板状部材４６は左右方向へ角度１０°程度の範囲で傾動可能であり、板状部材４６と共に筒状部２を左右方向へ傾動させて向きを変え、任意の向きでボルト５０とナット５２とを締め付けて固定することができる。
また、図５（Ｂ）、（Ｃ）に示すように、板状部材１１は、板状部材４３に対して斜め下方を向いて設けられている。従って、筒状部２は板状部材４３に対しスリット３が斜め下方を向く姿勢で支持部材１１に支持されている。
【００２３】
魚釣り用仕掛け投入機ホルダー４２を舟の支持台３７に固定する場合は、クランプ３９によって板状部材４３の基端部と支持台３７を挟み付ける。
この魚釣り用仕掛け投入機ホルダー４２を使用することによって、第一の実施の形態に係る魚釣り用仕掛け投入機ホルダー１と同様に枝針３５で手等を傷つけてしまう事故の発生を完全に防止することができる。
【００２４】
以上、本考案の実施の形態について詳述してきたが、具体的構成は、この実施の形態に限られるものではなく、本考案の要旨を逸脱しない範囲における設計の変更などがあっても考案に含まれる。
例えば、筒状部は角筒状に限らず、円筒状等、魚釣り用仕掛け投入機の棒状部を収容することができる形状であればよい。また、支持部材の形状は四角の枠状やＴ字状に限らず、コの字状等であってもよい。
【産業上の利用可能性】
【００２５】
魚釣り用仕掛け投入機ホルダーの製造業に利用可能性を有する。
【符号の説明】
【００２６】
１…魚釣り用仕掛け投入機ホルダー  ２…筒状部
３…スリット                      ５…開口
７…抜け止め板                    ８…蝶ネジ
９…ネジ穴                      １０…支持部材
１１、１３、１５、１７…板状部材  ２１…魚釣り用仕掛け投入機
２３…棒状部                      ２５、２７…糸掛け部
２９…針掛け部                    ３１…仕掛け
３３…糸                          ３５…枝針
３７…舟の支持台                  ３９…クランプ
３９ａ…雄ネジ                    ４０…錘
４１…道糸                        ４２…魚釣り用仕掛け投入機ホルダー
４３…板状部材                    ４４…支持部材
５０…ボルト                      ５２…ナット
【図１】
0003183121.tif 000003
【図２】
0003183121.tif 000004
【図３】
0003183121.tif 000005
【図４】
0003183121.tif 000006
【図５】
0003183121.tif 000007
【図６】
0003183121.tif 000008